(57)【要約】【課題】既存便器に簡易且つ低コストで取り付けることができる便座開閉具を提供する。【解決手段】便座開閉具１０Ａを、便座２０の底面に粘着層１ａにより接着可能な取付部１と、当該取付部１から延伸した把持部２と、で構成する。そして、この便座開閉具１０Ａを、便座開閉具１０Ａの把持部２が便座２０の周縁から突出するように、取付部１の粘着層１ａを便座２０の底面の所定位置に貼り付け、使用者が便座２０に取り付けた便座開閉具１０Ａの把持部２を把持して、便座２０の開閉を行えるようにする。【選択図】  図１
0003136254.tif 000002
【実用新案登録請求の範囲】
【請求項１】
便座の周縁に取り付けられる取付部と、当該取付部から延伸した把持部と、を備え、前記取付部を便座の周縁に取り付けた状態で、前記把持部を把持して前記便座を開閉するために使用することを特徴とする便座開閉具。
【請求項２】
前記取付部は、前記便座の周縁に巻き付けて取り付けるベルト状部材、前記便座の周縁に吸着させて取り付ける吸着部材、前記便座の周縁に接着させて取り付ける接着部材、前記便座の周縁に設けた貫通穴に固定する固定部材のいずれかで構成されていることを特徴とする請求項1に記載の便座開閉具。
【請求項３】
前記把持部は、平板状、円筒状、リング状のいずれかの形状で構成されていることを特徴とする請求項１又は２に記載の便座開閉具。
【考案の詳細な説明】
【技術分野】
【０００１】
本考案は、洋式便器の便座を開閉するために用いられる器具に関し、特に、使用者が直接便座に手を触れることなく、便座の開閉を行うことができる便座開閉具に関するものである。
【背景技術】
【０００２】
通常、洋式便器は、便器の上方に使用者が腰掛けるための便座が設けられ、さらに便座の上方に便器上面を覆う便器用蓋が設けられており、便座及び便器用蓋のそれぞれが便器の一端に設けられた蝶番を介して上下方向に開閉自在に構成されている。そして、使用者は、用途に応じて便器用蓋のみを上方に起こして便座に腰掛けた状態で便器を使用したり、便器用蓋と便座の両方を上方に起こして便器の前方に立った状態で便器を使用する。
【０００３】
この種の洋式便器において、便器用蓋や便座を上下方向に開閉する際には、これらの周縁を使用者が直接把持する必要がある。ここで、便座の底面は、便器の上面に直接重ねられるため、排泄物や排泄後の汚水が付着する可能性が高く、便座の開閉時には不衛生で、使用者に不快感を与えるという問題があった。このような問題は、不特定多数の者が使用する公衆トイレや飲食店のトイレ等では、特に問題視されていた。
【０００４】
このため、特許文献１では、便座の周面の一部にこの周面と略水平方向に突出し、便器の外側に位置する突起部を設けた便座が提案されている。この特許文献１に記載の便座においては、便座の周面に設けた突起部の底面に排泄物や排泄後の汚水が付着し難くなるため、便座開閉時の衛生面に関する問題を解消することが可能となる。
【０００５】
また、特許文献２では、便器用蓋及び便座の開閉を支持する蝶番に、ペダルが接続された軸を貫通させることで、便器用蓋や便座を使用者が直接手で把持することなくペダルの操作により開閉できる技術が提案されている。
【０００６】
さらに、特許文献３では、便器用蓋及び便座の開閉を行うモータ駆動装置を備え、便器用蓋や便座を使用者が直接手で把持することなくモータ駆動装置により開閉できる技術が提案されている。
【特許文献１】実開平５−７６３９５号公報
【特許文献２】特開平１０−１４６２８号公報
【特許文献３】特開２００７−１１１３４３号公報
【考案の開示】
【考案が解決しようとする課題】
【０００７】
しかしながら、上述した特許文献１に記載の技術においては、便座自体に突起部を設けた構成となっているため、既存便器の便座自体を交換しなければ課題を解決できず、製造コストや設置コストの点で更なる改善の余地があった。
【０００８】
また、上述した特許文献２に記載の技術においては、便座自体を交換しなくても、既存便座の蝶番をペダルと連結させた蝶番に交換すれば課題を解決できるが、便座の開閉を行うためのペダルを付設する必要があるため、設置場所の確保や設置コストの点で更なる改善の余地があった。
【０００９】
さらに、上述した特許文献３に記載の技術においては、便器用蓋や便座の開閉を行うためのモータ駆動装置を備える必要があるため、設置場所の確保や設置コスト及びメンテナンスコストの点で更なる改善の余地があった。
【００１０】
本考案は上記事情に鑑みてなされたものであり、既存便器に簡易且つ低コストで取り付けることができる便座開閉具を提供することを課題としている。
【課題を解決するための手段】
【００１１】
このような課題を解決するために、本考案に係る便座開閉具は、便座の周縁に取り付けられる取付部と、当該取付部から延伸した把持部と、を備え、前記取付部を便座の周縁に取り付けた状態で、前記把持部を把持して前記便座を開閉するために使用する構成としている。
【００１２】
また、本考案に係る便座開閉具において、前記取付部は、前記便座の周縁に巻き付けて取り付けるベルト状部材、前記便座の周縁に吸着させて取り付ける吸着部材、前記便座の周縁に接着させて取り付  ける接着部材、前記便座の周縁に設けた貫通穴に固定する固定部材のいずれかで構成してもよい。
さらに、本考案に係る便座開閉具において、前記把持部は、平板状、円筒状、リング状のいずれかの形状で構成してもよい。
【考案の効果】
【００１３】
本考案によれば、便座開閉時において使用者が便座を直接把持せず便座の開閉が行える便座開閉具を、既存便器に簡易且つ低コストで取り付けることができ、また、盲人や腕に障害のある人などが、手を使わずに膝などで便座の開閉・確認ができるという優れた効果を奏する。
【考案を実施するための最良の形態】
【００１４】
以下、本考案の実施形態について図面を参照しながら説明する。
【００１５】
＜第一実施形態＞
図１は、本考案に係る便座開閉具の第一実施形態を示し、（ａ）は平面図、（ｂ）は便座への取り付け状態を示す斜視図である。
本実施形態における便座開閉具１０Ａは、図１（ａ）に示すように、長方形状の合成樹脂製平板で構成され、この平板の長手方向一端には便座２０の底面に接着可能な取付部１が形成され、この平板の長手方向他端に把持部２が形成されている。ここで、取付部１は、平板の表面に設けられた粘着層１ａと、この粘着層１ａを覆う剥離層１ｂとで構成されている。
【００１６】
この便座開閉具１０Ａは、図１（ｂ）に示すように、まず、取付部１に設けられた剥離層１ｂを剥がして、便座開閉具１０Ａの把持部２が便座２０の周縁部から突出するように、取付部１の粘着層１ａを便座２０の底面の所定位置に貼り付けておく。この時、便座２０の開閉を効率よく行うために、便座開閉具１０Ａを、便座２０の手前側の周縁部に取り付けることが好ましい。そして、使用者は、便座２０に取り付けた便座開閉具１０Ａの把持部１を持って、便器３０の上面に設置された便座２０の開閉を行う。
【００１７】
本実施形態における便座開閉具１０Ａによれば、既存の便座２０の任意の位置に貼り付けることで、使用者が便座２０を直接把持することなく、便座２０の開閉が行える。よって、便座２０の底面に、排泄物や排泄後の汚水が付着している場合であっても、便座２０の底面に直接手を触れずにすむため、便座２０の開閉時における衛生面での問題を解消できる。
また、本実施形態における便座開閉具１０Ａによれば、取付部１に設けた粘着層１ａにより便座２０に固定する構成となっているため、既存の便座２０に簡易且つ低コストで取り付けることができる。
【００１８】
なお、第一実施形態においては、便座開閉具１０Ａを合成樹脂製の平板で構成したが、便座２０の底面に取り付け可能で、便座２０を開閉可能な強度を有する構成であればこれに限らず、金属や木材等の素材で構成してもよいし、円形状や多角形状で構成してもよい。また、第一実施形態においては、便座開閉具１０Ａを、粘着層１ａで便座２０に接着する構成としたが、これに限らず、吸着部材等で便座２０に取り付ける構成としてもよい。
【００１９】
＜第二実施形態＞
図２は、本考案に係る便座開閉具の第二実施形態を示し、（ａ）は斜視図、（ｂ），（ｃ）は便座への取り付け状態を示す斜視図である。
本実施形態における便座開閉具１０Ｂは、図２（ａ）に示すように、合成樹脂製の円筒で構成され、この円筒の一端には便座２０の周縁に固定可能な取付部１が形成され、この円筒の他端が把持部２となっている。ここで、取付部１は、その円筒の一端面に設けられた雌ネジ溝で構成され、この雌ネジ溝に螺合される雄ネジ１２と、その円筒の外周面に貫通させるリング状の座金１１とで便座２０に取付可能となっている。
【００２０】
この便座開閉具１０Ｂは、図２（ｂ）に示すように、まず、便座２０の周縁に設けられた貫通穴Ｈに便座２０の外周縁側から座金１１を介して取付部１を貫通させた後、便座２０の内周縁側から取付部１をなす一端に設けられた雌ネジ溝に雄ネジ１２を螺合させて便座２０に固定しておく。そして、使用者は、便座２０の外周縁側に突出した便座開閉具１０Ｂの把持部２を持って、便器３０の上面に設置された便座２０の開閉を行う。
【００２１】
本実施形態における便座開閉具１０Ｂによれば、既存の便座２０に設けた貫通穴Ｈに貫通させた状態でネジ機構により固定することで、使用者が便座２０を直接把持することなく、便座２０の開閉が行える。よって、便座２０の底面に、排泄物や排泄後の汚水が付着している場合であっても、便座２０の底面に直接手を触れずにすむため、便座２０の開閉時における衛生面での問題を解消できる。
また、本実施形態における便座開閉具１０Ｂによれば、ネジ機構により便座２０に固定することにより、強固に便座２０に固定することができる。
【００２２】
なお、第二実施形態における便座開閉具１０Ｂは、合成樹脂製の円筒状に設けた場合について説明したが、便座２０の周縁に設けた貫通穴Ｈに貫通可能で、使用者が把持可能な形状であればこれに限らず、例えば、素材として、金属や木材等を用いてもよいし、断面視が三角形や四角形の多角柱状や、断面視が半円状に構成してもよい。
また、第二実施形態における便座開閉具１０Ｂは、便座２０の周縁の一箇所に設けた貫通穴Ｈにネジ機構で固定する構成について説明したが、固定箇所は一箇所に限らず、図３に示すように、略Ｕ字状で二箇所にネジ溝部からなる取付部１を有する便座開閉具１０Ｃを構成し、便座２０の周縁の二箇所に設けた貫通穴Ｈにナットで固定する構成としてもよい。
【００２３】
さらに、第二実施形態における便座開閉具１０Ｂは、便座２０の周縁に貫通穴Ｈを設けることで固定する構成としたが、これに限らず、便座２０に貫通穴Ｈを設けずにネジ機構により固定する構成としてもよい。例えば、図４に示すように、便座開閉具１０Ｄを、円筒状の把持部２と、当該把持部２の周面を支持した状態で便座２０の底面の二箇所にネジ１２で固定可能な略Ｃ字状の取付部１と、を備えた構成としてもよい。この時、把持部２は、取付部１により便座２０に固定されるが、取付部１からの脱落を防止するための把持部２の周面に突起部２ａを設けることが好ましい。
【００２４】
＜第三実施形態＞
図５は、本考案に係る便座開閉具の第三実施形態を示し、（ａ）は斜視図、（ｂ）は便座への取り付け状態を示す平面図、（ｃ）は便座への取り付け状態を示す斜視図である。
本実施形態における便座開閉具１０Ｅは、図５（ａ）に示すように、シリコーンゴム製のベルトで構成され、そのベルトの一端に、そのベルト幅よりも小さな一辺を有する略正方形状の貫通口１４が形成され、そのベルトの他端に、そのベルト幅よりも大きな直径を有するリング状の把持部２が形成されている。
【００２５】
この便座開閉具１０Ｅは、図５（ｂ）及び図５（ｃ）に示すように、まず、リング状の把持部２が設けられたベルトの一端側を、便座２０の周縁に下方から巻きつけた後、ベルトの他端側に設けられた貫通口１４に下方から貫通させて上方に引っ張ることで、便座２０の周縁に取り付ける。そして、使用者は、便座２０の外周縁側に突出させたリング状の把持部２を持って、便座２０の開閉を行う。
すなわち、本実施形態における便座開閉具１０Ｅは、ベルトの一端側に設けたリング状の把持部２をベルトの他端側に設けられた貫通口１４に通すことでできるリング部Ｒが取付部１として機能するように構成されている。
【００２６】
本実施形態における便座開閉具１０Ｅによれば、既存の便座２０に巻き付けて取り付けることで、使用者が便座２０を直接把持することなく、便座２０の開閉が行える。よって、便座２０の底面に、排泄物や排泄後の汚水が付着している場合であっても、便座２０の底面に直接手を触れずにすむため、便座２０の開閉時における衛生面での問題を解消できる。
また、本実施形態における便座開閉具１０Ｅによれば、便座２０に取り付けた状態で、便座２０の周縁を左右方向に自由に移動できるため、便座２０の開閉がより容易に行える。
【００２７】
さらに、本実施形態における便座開閉具１０Ｅによれば、ベルトの引っ張り具合を調整することで周縁幅の異なる種々の便座２０に取り付けることができる。
なお、第三実施形態における便座開閉具１０Ｅは、シリコーンゴム製のベルトで構成された場合について説明したが、これに限らず、布や皮革等の素材を用いてもよい。
また、第三実施形態における便座開閉具１０Ｅは、把持部２をリング状に設けた場合について説明したが、これに限らず、四角形や三角形等の多角形状に開口した構成してもよいし、開口を設けずにベルトの端部を把持する構成としてもよい。
【図面の簡単な説明】
【００２８】
【図１】本考案に係る便座開閉具の第一実施形態の一例を示し、（ａ）は平面図、（ｂ）は便座への取り付け状態を示す斜視である。
【図２】本考案に係る便座開閉具の第二実施形態の一例を示し、（ａ）は斜視図、（ｂ），（ｃ）は便座への取り付け状態を示す平面図である。
【図３】本考案に係る便座開閉具の第二実施形態の他例を示し、（ａ）は斜視図、（ｂ）は便座への取り付け状態を示す斜視図である。
【図４】本考案に係る便座開閉具の第二実施形態の他例を示し、（ａ）は斜視図、（ｂ），（ｃ）は便座への取り付け状態を示す斜視図である。
【図５】本考案に係る便座開閉具の第三実施形態の一例を示し、（ａ）は斜視図、（ｂ）は便座への取り付け状態を示す斜視図、（ｃ）は便座への取り付け状態を示す平面図である。
【符号の説明】
【００２９】
１    取付部
２    把持部
１０Ａ〜１０Ｅ    便座開閉具
２０    便座
３０    便器
【図１】
0003136254.tif 000003
【図２】
0003136254.tif 000004
【図３】
0003136254.tif 000005
【図４】
0003136254.tif 000006
【図５】
0003136254.tif 000007